(57)【要約】【課題】本発明はゴミ圧縮所のゴミ浸出液の予備処理装置を開示した。【解決手段】地面に設置された浸出液空間を含み、前記吸い込みパイプが前記浸出液空間と前記第一吸い上げポンプとの間に連通するように設置され、圧縮箱の中のゴミが圧縮された後、ゴミ浸出液がろ過されてから浸出液空間の中に入り、第一吸い上げポンプを始動し、第一吸い上げポンプが浸出液空間の中の浸出液を調節空間の中に吸い込み、裏ごしは浸出液を篩え、浸出液の中の雑物を分離し、ｐＨ値の調節を準備し、ゴミ浸出液によってゴミ圧縮所の周辺の環境への影響を減少し、ゴミ処理所はゴミ浸出液を直接処理する所要な土地の面積を減少でき、ゴミ浸出液を予備処理するのは、ゴミ圧縮所のゴミ浸出液を処理できるだけではなく、ゴミ浸出液を処理する時に処理工程を省ける。【選択図】図１
2020203278.tif 000002
【特許請求の範囲】
【請求項１】
地面に設置された浸出液空間を含み、前記浸出液空間の中には浸出液吸収部品が設置され、前記浸出液吸収部品はゴミを圧縮できる圧縮箱を含み、前記圧縮箱には浸出液を浸出できるグレーチングが設置され、前記浸出液吸収部品はまた地面に固定的に装着され、且つ前記浸出液空間の中の浸出液を吸収できる第一吸い上げポンプを含み、前記浸出液吸収部品の右側には処理ケースが設置され、前記処理ケースには蓋がヒンジで装着され、前記蓋と前記処理ケースとの間には浸出液のｐＨ値を調節できる調節部品が設置され、
前記調節部品は前記蓋に左右対称的に設置された薬品空間を含み、前記薬品空間の中には浸出液のｐＨ値を制御できる化学薬品を貯蔵しており、前記処理ケースには浸出液のｐＨ値を調節できる調節空間が設置され、前記調節空間は浸出液吸収部品によって吸収されたゴミ浸出液を貯蔵しており、前記薬品空間の中にプッシュ板が設置され、前記プッシュ板が前記薬品空間の中で旋転でき、それによって前記薬品空間の中の化学薬品を前記調節空間の中に加えて前記調節空間の中の浸出液のｐＨ値を調節し、前記調節部品の左側には予備ろ過部品が設置され、
前記予備ろ過部品は前記調節空間の左側に設置されたろ過空間を含み、前記ろ過空間の右側内壁の中には第二吸い上げポンプが固定的に装着され、前記第二吸い上げポンプの水入口が前記調節空間と連通しており、前記第二吸い上げポンプの水出口が前記ろ過空間と連通しており、前記第二吸い上げポンプは前記調節空間の中のｐＨ値調節済みの浸出液を前記ろ過空間の中に吸い込んで予備ろ過を行い、予備ろ過された浸出液は前記ろ過空間の左側内壁に設置された浸出液出口管によって排出されることを特徴とするゴミ圧縮所のゴミ浸出液の予備処理装置。
【請求項２】
前記浸出液吸収部品はまた吸い込みパイプと浸出液吸い込みパイプとを含み、前記吸い込みパイプが前記浸出液空間と前記第一吸い上げポンプとの間に連通するように設置され、前記第一吸い上げポンプの水出口のところが前記浸出液吸い込みパイプと固定的に連結され、前記浸出液吸い込みパイプが前記蓋と固定的に連結され、且つ前記調節空間と連通していることを特徴とする請求項１に記載のゴミ圧縮所のゴミ浸出液の予備処理装置。
【請求項３】
前記調節部品はまたカバー空間と、計量孔と、注入モーターと、注入モーター軸と、カバーとを含み、前記カバー空間が前記薬品空間の下側に設置され、前記カバー空間と前記薬品空間との間には連通した前記計量孔が設置され、前記薬品空間の底壁には前記注入モーターが固定的に装着され、前記注入モーターの出力軸には前記注入モーター軸が固定的に連結され、前記注入モーター軸が前記プッシュ板と固定的に連結され、前記注入モーター軸が下方に前記カバー空間を貫通しており、前記注入モーター軸には前記カバーが固定的に装着され、前記カバーは前記計量孔を塞げることを特徴とする請求項１に記載のゴミ圧縮所のゴミ浸出液の予備処理装置。
【請求項４】
前記カバー空間と前記調節空間との間には注入管が連通するように設置され、前記蓋の底面には裏ごしが固定的に装着され、前記裏ごしと前記注入管とが固定的に装着され、前記蓋の右側面には固定バックルがヒンジで装着され、前記処理ケースの右側面には固定突起台が固定的に装着され、前記固定バックルは前記固定突起台を引っ掛からせることができることを特徴とする請求項１に記載のゴミ圧縮所のゴミ浸出液の予備処理装置。
【請求項５】
前記調節空間の底壁には第一モーターが固定的に装着され、前記第一モーターの出力軸には第一撹拌軸が固定的に装着され、前記第一撹拌軸には第一撹拌羽根が固定的に装着され、前記調節空間の左右内壁にはｐＨ値検知器が左右対称的に固定的に装着され、前記処理ケースの右側面にはディスプレイが固定的に装着されることを特徴とする請求項１に記載のゴミ圧縮所のゴミ浸出液の予備処理装置。
【請求項６】
前記予備ろ過部品はまた前記ろ過空間の底壁と前記処理ケースの下側面との間に設置された洗い流し水出口管を含み、前記ろ過空間をろ過用の砂利で充填していることを特徴とする請求項１に記載のゴミ圧縮所のゴミ浸出液の予備処理装置。
【請求項７】
前記処理ケースの上側には洗い流し水ポンプが固定的に装着され、前記洗い流し水ポンプの水入口と水源とが連結され、前記洗い流し水ポンプの水出口と前記ろ過空間とが連通していることを特徴とする請求項１に記載のゴミ圧縮所のゴミ浸出液の予備処理装置。
【請求項８】
前記ろ過空間の上側にはギヤ空間が設置され、前記ギヤ空間の上側内壁には第二モーターが固定的に装着され、前記第一モーターの出力軸には第二撹拌軸が固定的に装着され、前記第二撹拌軸には第二撹拌羽根が固定的に装着され、前記第二撹拌羽根には第一ギヤが固定的に装着され、前記ギヤ空間の上下内壁の間には第二ギヤが左右対称的に、且つ回転できるように装着され、前記第二ギヤが前記第一ギヤと噛み合っており、前記ギヤ空間と前記ろ過空間との間にはネジ軸がスライドできるように装着され、前記ネジ軸が前記第二ギヤとネジ山によって装着され、前記ろ過空間の中には押さえ板がスライドできるように装着され、前記押さえ板が前記ネジ軸と固定的に装着され、前記押さえ板と前記ろ過空間の頂壁との間には押し動かしばねが固定的に装着され、前記ろ過空間の左側内壁には位置制限スイッチが固定的に装着されていることを特徴とする請求項１に記載のゴミ圧縮所のゴミ浸出液の予備処理装置。
【請求項９】
前記浸出液出口管の中には第一弁体が設置され、前記洗い流し水出口管の中には第二弁体が設置されていることを特徴とする請求項１に記載のゴミ圧縮所のゴミ浸出液の予備処理装置。
【発明の詳細な説明】
【技術分野】
【０００１】
本発明はゴミの浸出液を処理する分野に関わり、具体的にはゴミ圧縮所のゴミ浸出液の予備処理装置である。
【背景技術】
【０００２】
人の生活水準は高くなるにつれて、物質的な生活は豊かになる上、生み出されたゴミも多くなり、現在、ゴミを処理する時、一般的に埋める又は燃やす方式を利用し、ゴミを運ぶ時にまずゴミの体積を圧縮する必要があり、運ぶのに便利を与え、ゴミを圧縮する時に大量のゴミ浸出液を生み出し、ゴミ浸出液の中には多くの植物の生長に適した物質を含み、しかしゴミ浸出液の中には有害物も多く、植物を直接施すことができなく、また今はゴミ圧縮所にゴミ浸出液を直接処理できる設備を備えない。
ゴミ浸出液を処理する時に占用された土地の面積が大きく、しかしゴミ圧縮所は十分な空間を提供できなく、ゴミ圧縮所の中でゴミ浸出液を予備処理し、ゴミ圧縮所の中のゴミ浸出液を一定の程度に解決できる。
【先行技術文献】
【特許文献】
【０００３】
【特許文献１】中国特許出願公開第１０４１５０６４８号明細書
【発明の概要】
【発明が解決しようとする課題】
【０００４】
本発明はゴミ圧縮所のゴミ浸出液の予備処理装置を提供し、既存技術にある上記の欠点を解消することを目的とする。
【課題を解決するための手段】
【０００５】
本発明の実施例のゴミ圧縮所のゴミ浸出液の予備処理装置は、地面に設置された浸出液空間を含み、前記浸出液空間の中には浸出液吸収部品が設置され、前記浸出液吸収部品はゴミを圧縮できる圧縮箱を含み、前記圧縮箱には浸出液を浸出できるグレーチングが設置され、前記浸出液吸収部品はまた地面に固定的に装着され、且つ前記浸出液空間の中の浸出液を吸収できる第一吸い上げポンプを含み、前記浸出液吸収部品の右側には処理ケースが設置され、前記処理ケースには蓋がヒンジで装着され、前記蓋と前記処理ケースとの間には浸出液のｐＨ値を調節できる調節部品が設置され、前記調節部品は前記蓋に左右対称的に設置された薬品空間を含み、前記薬品空間の中には浸出液のｐＨ値を制御できる化学薬品を貯蔵しており、前記処理ケースには浸出液のｐＨ値を調節できる調節空間が設置され、前記調節空間は浸出液吸収部品によって吸収されたゴミ浸出液を貯蔵しており、前記薬品空間の中にプッシュ板が設置され、前記プッシュ板が前記薬品空間の中で旋転でき、それによって前記薬品空間の中の化学薬品を前記調節空間の中に加えて前記調節空間の中の浸出液のｐＨ値を調節し、前記調節部品の左側には予備ろ過部品が設置され、前記予備ろ過部品は前記調節空間の左側に設置されたろ過空間を含み、前記ろ過空間の右側内壁の中には第二吸い上げポンプが固定的に装着され、前記第二吸い上げポンプの水入口が前記調節空間と連通しており、前記第二吸い上げポンプの水出口が前記ろ過空間と連通しており、前記第二吸い上げポンプは前記調節空間の中のｐＨ値調節済みの浸出液を前記ろ過空間の中に吸い込んで予備ろ過を行い、予備ろ過された浸出液は前記ろ過空間の左側内壁に設置された浸出液出口管によって排出される。
【０００６】
上記の技術プランに基づき、前記浸出液吸収部品はまた吸い込みパイプと浸出液吸い込みパイプとを含み、前記吸い込みパイプが前記浸出液空間と前記第一吸い上げポンプとの間に連通するように設置され、前記第一吸い上げポンプの水出口のところが前記浸出液吸い込みパイプと固定的に連結され、前記浸出液吸い込みパイプが前記蓋と固定的に連結され、且つ前記調節空間と連通している。
【０００７】
上記の技術プランに基づき、前記調節部品はまたカバー空間と、計量孔と、注入モーターと、注入モーター軸と、カバーとを含み、前記カバー空間が前記薬品空間の下側に設置され、前記カバー空間と前記薬品空間との間には連通した前記計量孔が設置され、前記薬品空間の底壁には前記注入モーターが固定的に装着され、前記注入モーターの出力軸には前記注入モーター軸が固定的に連結され、前記注入モーター軸が前記プッシュ板と固定的に連結され、前記注入モーター軸が下方に前記カバー空間を貫通しており、前記注入モーター軸には前記カバーが固定的に装着され、前記カバーは前記計量孔を塞げる。
【０００８】
上記の技術プランに基づき、前記カバー空間と前記調節空間との間には注入管が連通するように設置され、前記蓋の底面には裏ごしが固定的に装着され、前記裏ごしと前記注入管とが固定的に装着され、前記蓋の右側面には固定バックルがヒンジで装着され、前記処理ケースの右側面には固定突起台が固定的に装着され、前記固定バックルは前記固定突起台を引っ掛からせることができる。
【０００９】
上記の技術プランに基づき、前記調節空間の底壁には第一モーターが固定的に装着され、前記第一モーターの出力軸には第一撹拌軸が固定的に装着され、前記第一撹拌軸には第一撹拌羽根が固定的に装着され、前記調節空間の左右内壁にはｐＨ値検知器が左右対称的に固定的に装着され、前記処理ケースの右側面にはディスプレイが固定的に装着される。
【００１０】
上記の技術プランに基づき、前記予備ろ過部品はまた前記ろ過空間の底壁と前記処理ケースの下側面との間に設置された洗い流し水出口管を含み、前記ろ過空間をろ過用の砂利で充填している。
【００１１】
上記の技術プランに基づき、前記処理ケースの上側には洗い流し水ポンプが固定的に装着され、前記洗い流し水ポンプの水入口と水源とが連結され、前記洗い流し水ポンプの水出口と前記ろ過空間とが連通している。
【００１２】
上記の技術プランに基づき、前記ろ過空間の上側にはギヤ空間が設置され、前記ギヤ空間の上側内壁には第二モーターが固定的に装着され、前記第一モーターの出力軸には第二撹拌軸が固定的に装着され、前記第二撹拌軸には第二撹拌羽根が固定的に装着され、前記第二撹拌羽根には第一ギヤが固定的に装着され、前記ギヤ空間の上下内壁の間には第二ギヤが左右対称的に、且つ回転できるように装着され、前記第二ギヤが前記第一ギヤと噛み合っており、前記ギヤ空間と前記ろ過空間との間にはネジ軸がスライドできるように装着され、前記ネジ軸が前記第二ギヤとネジ山によって装着され、前記ろ過空間の中には押さえ板がスライドできるように装着され、前記押さえ板が前記ネジ軸と固定的に装着され、前記押さえ板と前記ろ過空間の頂壁との間には押し動かしばねが固定的に装着され、前記ろ過空間の左側内壁には位置制限スイッチが固定的に装着される。
【００１３】
上記の技術プランに基づき、前記浸出液出口管の中には第一弁体が設置され、前記洗い流し水出口管の中には第二弁体が設置されている。
【発明の効果】
【００１４】
本発明の有益な効果は：本発明はゴミ圧縮所の中で圧縮されたゴミの浸出液を予備処理装置の中に吸い込め、ゴミ浸出液によってゴミ圧縮所の周辺の環境への影響を減少し、ゴミ処理所はゴミ浸出液を直接処理する所要な土地の面積を減少でき、ゴミ浸出液を予備処理するのは、ゴミ圧縮所のゴミ浸出液を処理できるだけではなく、ゴミ浸出液を処理する時に処理工程を省ける。
ゴミ浸出液を装置の中に直接吸い込め、ゴミ浸出液が外界の環境に晒されなく、浸出液のｐＨ値を調節する時、装置内部のｐＨ値検知器によってゴミ内部のｐＨ値の変化をリアルタイムに監視し、ｐＨ値を調節する薬品を注入するのに便利を与え、ゴミ浸出液をゴミ浸出液をろ過できるろ過空間の中でろ過する時に装置内部の砂利を押さえて洗い流す時に装置内部の砂利は随意に移動でき、また洗い流される砂利を撹拌し、洗い流す効果を向上させ、普及する価値がある。
【図面の簡単な説明】
【００１５】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の全体構成概略図
【図２】図２は図１の中のＡ―Ａ方向の断面構成概略図
【図３】図３は図１の中のＢ―Ｂ方向の断面構成概略図
【図４】図４は図１の中のＣのところの拡大構成概略図
【図５】図５は部品のカバー５１の構成概略図
【図６】図６は部品の第二ギヤ３８の構成概略図
【発明を実施するための形態】
【００１７】
図１〜６を参照し、本発明の実施例のゴミ圧縮所のゴミ浸出液の予備処理装置は、地面に設置された浸出液空間１２を含み、前記浸出液空間１２の中には浸出液吸収部品８０が設置され、前記浸出液吸収部品８０はゴミを圧縮できる圧縮箱１０を含み、前記圧縮箱１０には浸出液を浸出できるグレーチング１１が設置され、前記浸出液吸収部品８０はまた地面に固定的に装着され、且つ前記浸出液空間１２の中の浸出液を吸収できる第一吸い上げポンプ１４を含み、前記浸出液吸収部品８０の右側には処理ケース１７が設置され、前記処理ケース１７には蓋１６がヒンジで装着され、前記蓋１６と前記処理ケース１７との間には浸出液のｐＨ値を調節できる調節部品８１が設置され、前記調節部品８１は前記蓋１６に左右対称的に設置された薬品空間４６を含み、前記薬品空間４６の中には浸出液のｐＨ値を制御できる化学薬品を貯蔵しており、前記処理ケース１７には浸出液のｐＨ値を調節できる調節空間２２が設置され、前記調節空間２２は浸出液吸収部品８０によって吸収されたゴミ浸出液を貯蔵しており、前記薬品空間４６の中にプッシュ板４９が設置され、前記プッシュ板４９が前記薬品空間４６の中で旋転でき、それによって前記薬品空間４６の中の化学薬品を前記調節空間２２の中に加えて前記調節空間２２の中の浸出液のｐＨ値を調節し、前記調節部品８１の左側には予備ろ過部品８２が設置され、前記予備ろ過部品８２は前記調節空間２２の左側に設置されたろ過空間２８を含み、前記ろ過空間２８の右側内壁の中には第二吸い上げポンプ２７が固定的に装着され、前記第二吸い上げポンプ２７の水入口が前記調節空間２２と連通しており、前記第二吸い上げポンプ２７の水出口が前記ろ過空間２８と連通しており、前記第二吸い上げポンプ２７は前記調節空間２２の中のｐＨ値調節済みの浸出液を前記ろ過空間２８の中に吸い込んで予備ろ過を行い、予備ろ過された浸出液は前記ろ過空間２８の左側内壁に設置された浸出液出口管３０によって排出される。
【００１８】
また、一つの実施例の中に、前記浸出液吸収部品８０はまた前記浸出液空間１２と前記第一吸い上げポンプ１４との間に連通するように設置された吸い込みパイプ１３を含み、前記第一吸い上げポンプ１４の水出口のところが前記浸出液吸い込みパイプ１５と固定的に連結され、前記浸出液吸い込みパイプ１５が前記蓋１６と固定的に連結され、且つ前記調節空間２２と連通しており、それによって圧縮箱１０の中のゴミが圧縮された後、ゴミ浸出液は浸出液空間１２の中にろ過され、第一吸い上げポンプ１４を始動し、第一吸い上げポンプ１４が浸出液空間１２の中の浸出液を調節空間２２の中に吸い込み、ｐＨ値の調節を準備する。
【００１９】
また、一つの実施例の中に、前記調節部品８１はまた前記薬品空間４６の下側に設置されたカバー空間５２を含み、前記カバー空間５２と前記薬品空間４６との間には連通した計量孔４７が設置され、前記薬品空間４６の底壁には注入モーター５０が固定的に装着され、前記注入モーター５０の出力軸には注入モーター軸４８が固定的に連結され、前記注入モーター軸４８が前記プッシュ板４９と固定的に連結され、前記注入モーター軸４８が下方に前記カバー空間５２を貫通しており、前記注入モーター軸４８にはカバー５１が固定的に装着され、前記カバー５１は前記計量孔４７を塞げ、ｐＨ値を調節する時、注入モーター５０を始動し、注入モーター５０がプッシュ板４９を連動させて薬品空間４６の中の化学薬品を計量孔４７の中にプッシュし、注入モーター５０が継続してカバー５１を回転連動させ、カバー５１に計量孔４７を塞がせなく、計量孔４７の中の薬品はカバー空間５２の中に落ちる。
【００２０】
また、一つの実施例の中に、前記カバー空間５２と前記調節空間２２との間には注入管４５が連通するように設置され、前記蓋１６の底面には裏ごし４４が固定的に装着され、前記裏ごし４４と前記注入管４５とが固定的に装着され、前記蓋１６の右側面には固定バックル１９がヒンジで装着され、前記処理ケース１７の右側面には固定突起台２０が固定的に装着され、前記固定バックル１９は前記固定突起台２０を引っ掛からせることができ、固定バックル１９を回転させて固定突起台２０としっかり締め付け、蓋１６を処理ケース１７としっかりと締め付け、化学薬品は注入管４５を通って調節空間２２の中に入り、裏ごし４４は浸出液を篩え、浸出液の中の雑物を分離する。
【００２１】
また、一つの実施例の中に、前記調節空間２２の底壁には第一モーター２６が固定的に装着され、前記第一モーター２６の出力軸には第一撹拌軸２５が固定的に装着され、前記第一撹拌軸２５には第一撹拌羽根２４が固定的に装着され、前記調節空間２２の左右内壁にはｐＨ値検知器２３が左右対称的に固定的に装着され、前記処理ケース１７の右側面にはディスプレイ２１が固定的に装着され、第一モーター２６を始動し、第一モーター２６が第一撹拌羽根２４に加えられた薬品を撹拌させ、浸出液のｐＨ値を調節し、ｐＨ値検知器２３は調節空間２２の中の浸出液のｐＨ値を測定でき、ｐＨ値検知器２３は検出されたデータをディスプレイ２１によって示す。
【００２２】
また、一つの実施例の中に、前記予備ろ過部品８２はまた前記ろ過空間２８の底壁と前記処理ケース１７の下側面との間に設置された洗い流し水出口管２９を含み、前記ろ過空間２８をろ過用の砂利で充填し、調節空間２２の中の浸出液はろ過空間２８の中に入って砂利によってろ過される。
【００２３】
また、一つの実施例の中に、前記処理ケース１７の上側には洗い流し水ポンプ４３が固定的に装着され、前記洗い流し水ポンプ４３の水入口と水源とが連結され、前記洗い流し水ポンプ４３の水出口と前記ろ過空間２８とが連通している。
【００２４】
また、一つの実施例の中に、前記ろ過空間２８の上側にはギヤ空間３７が設置され、前記ギヤ空間３７の上側内壁には第二モーター４２が固定的に装着され、前記第一モーター４２の出力軸には第二撹拌軸３３が固定的に装着され、前記第二撹拌軸３３には第二撹拌羽根３４が固定的に装着され、前記第二撹拌羽根３４には第一ギヤ４１が固定的に装着され、前記ギヤ空間３７の上下内壁の間には第二ギヤ３８が左右対称的に、且つ回転できるように装着され、前記第二ギヤ３８が前記第一ギヤ４１と噛み合っており、前記ギヤ空間３７と前記ろ過空間２８との間にはネジ軸３９がスライドできるように装着され、前記ネジ軸３９が前記第二ギヤ３８とネジ山によって装着され、前記ろ過空間２８の中には押さえ板３６がスライドできるように装着され、前記押さえ板３６が前記ネジ軸３９と固定的に装着され、前記押さえ板３６と前記ろ過空間２８の頂壁との間には押し動かしばね４０が固定的に装着され、前記ろ過空間２８の左側内壁には位置制限スイッチ３５が固定的に装着され、浸出液をろ過する時、第二モーター４２を始動し、第二モーター４２が第一ギヤ４１を回転連動させ、第一ギヤ４１が回転することによって第二ギヤ３８を回転連動させ、第二ギヤ３８が回転することによってネジ軸３９が押さえ板３６を下方に押し動かし、押さえ板３６がろ過空間２８の中の砂利を押さえ、押さえ板３６が下方に位置制限スイッチ３５に触発した後、第二モーター４２に回転を停止させ、ろ過終了後、第二モーター４２を逆方向に回転させ、第二モーター４２が第一ギヤ４１と第二撹拌軸３３とを回転連動させ、第二モーター４２が回転して第二ギヤ３８を回転連動させ、第二ギヤ３８が回転してネジ軸３９を上方にスライド連動させ、ネジ軸３９が上方に押さえ板３６をスライド連動させ、押さえ板３６にろ過空間２８の中の砂利を押さえなくようにさせ、第二撹拌軸３３が回転して第二撹拌羽根３４を回転連動させ、洗い流し水ポンプ４３が洗い流し水をろ過空間２８の中に吸い上げ、ろ過空間２８の中の砂利を洗い流す。
【００２５】
また、一つの実施例の中に、前記浸出液出口管３０の中には第一弁体３２が設置され、前記洗い流し水出口管２９の中には第二弁体３１が設置され、ろ過する時に第一弁体３２を開け、第二弁体３１を閉め、浸出液が浸出液出口管３０によって排出され、ろ過空間２８の中の砂利を洗い流す時に第二弁体３１を開け、第一弁体３２を閉め、洗い流し水が洗い流し水出口管２９によって排出され、排出された水は運搬車によって汚水処理所に運送してさらなる処理をする。
【００２６】
使用の時、ゴミを圧縮箱１０の中に捨て、圧縮箱１０の中のゴミが圧縮された後、ゴミ浸出液がろ過されてから浸出液空間１２の中に入り、第一吸い上げポンプ１４を始動し、第一吸い上げポンプ１４が浸出液空間１２の中の浸出液を調節空間２２の中に吸い込み、裏ごし４４は浸出液を篩え、浸出液の中の雑物を分離し、ｐＨ値の調節を準備し、ｐＨ値を調節する時、注入モーター５０を始動し、注入モーター５０がプッシュ板４９を連動させて薬品空間４６の中の化学薬品を計量孔４７の中にプッシュし、注入モーター５０が継続してカバー５１を回転連動させ、カバー５１に計量孔４７を塞がせなくなり、計量孔４７の中の薬品はカバー空間５２の中に落ち、化学薬品は注入管４５を通って調節空間２２の中に入り、第一モーター２６を始動し、第一モーター２６が第一撹拌羽根２４に加えられた薬品を撹拌させ、浸出液のｐＨ値を調節し、ｐＨ値検知器２３は調節空間２２の中の浸出液のｐＨ値を測定でき、ｐＨ値検知器２３は検出されたデータをディスプレイ２１によって示し、浸出液をろ過する時、第二吸い上げポンプ２７を始動し、第二吸い上げポンプ２７は調節空間２２の中の浸出液に圧力をかけて浸出液をろ過空間２８の中に汲み上げ、第二モーター４２を始動し、第二モーター４２が第一ギヤ４１を回転連動させ、第一ギヤ４１が回転することによって第二ギヤ３８を回転連動させ、第二ギヤ３８が回転することによってネジ軸３９が押さえ板３６を下方に押し動かし、押さえ板３６がろ過空間２８の中の砂利を押さえ、押さえ板３６が下方に位置制限スイッチ３５に触発した後、第二モーター４２に回転を停止させ、調節空間２２の中の浸出液はろ過空間２８の中に入って砂利によって濾過され、ろ過する時に第一弁体３２を開け、第二弁体３１を閉め、浸出液が浸出液出口管３０によって排出され、ろ過終了後、第二モーター４２を逆方向に回転させ、第二モーター４２が第一ギヤ４１と第二撹拌軸３３とを回転連動させ、第二モーター４２が回転して第二ギヤ３８を回転連動させ、第二ギヤ３８が回転してネジ軸３９を上方にスライド連動させ、ネジ軸３９が上方に押さえ板３６を連動させ、押さえ板３６にろ過空間２８の中の砂利を押さえなくようにさせ、第二撹拌軸３３が回転して第二撹拌羽根３４を回転連動させ、洗い流し水ポンプ４３が洗い流し水をろ過空間２８の中に吸い上げ、ろ過空間２８の中の砂利を洗い流し、ろ過空間２８の中の砂利を洗い流す時に第二弁体３１を開け、第一弁体３２を閉め、洗い流し水が洗い流し水出口管２９によって排出され、排出された水は運搬車によって汚水処理所に運送してさらなる処理をする。
【００２７】
本発明の有益な効果は、本発明はゴミ圧縮所の中で圧縮されたゴミの浸出液を予備処理装置の中に吸い込め、ゴミ浸出液によってゴミ圧縮所の周辺の環境への影響を減少し、ゴミ処理所はゴミ浸出液を直接処理する所要な土地の面積を減少でき、ゴミ浸出液を予備処理するのは、ゴミ圧縮所のゴミ浸出液を処理できるだけではなく、ゴミ浸出液を処理する時に処理工程を省ける。
【００２８】
ゴミ浸出液を装置の中に直接吸い込め、ゴミ浸出液が外界の環境に晒されなく、浸出液のｐＨ値を調節する時、装置内部のｐＨ値検知器によってゴミ内部のｐＨ値の変化をリアルタイムに監視し、ｐＨ値を調節する薬品を注入するのに便利を与え、ゴミ浸出液をゴミ浸出液をろ過できるろ過空間の中でろ過する時に装置内部の砂利を押さえて洗い流す時に装置内部の砂利は随意に移動でき、また洗い流される砂利を撹拌し、洗い流す効果を向上させ、普及する価値がある。
【００２９】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020203278.tif 000003
【図２】
2020203278.tif 000004
【図３】
2020203278.tif 000005
【図４】
2020203278.tif 000006
【図５】
2020203278.tif 000007
【図６】
2020203278.tif 000008